(57)【要約】      （修正有）【課題】利便性が高められた、表示デバイスの収容体の提供。【解決手段】斜め肩掛けにて携帯可能な、表示デバイスの収容体であって、斜め肩掛け用のバンド１１０と、前記バンドの両端が接続される本体部１２０とを含む本体部材１００と、前記表示デバイスを載せ置き可能であって、前記本体部に対して展開可能な展開部材２００と、前記本体部に取付けられ、前記本体部に対して前記展開部材を展開位置で保持可能な一対の保持部材４００と、前記一対の保持部材よりも内側に位置し、前記一対の保持部材と協動して前記展開部材に載せ置きされる前記表示デバイスを両側側面から挟み込んで支えることが可能な支持部材３００とを含む。【選択図】図１
2019005606.tif 000002
【特許請求の範囲】
【請求項１】
斜め肩掛けにて携帯可能な、表示デバイスの収容体であって、
斜め肩掛け用のバンドと、前記バンドの両端が接続される本体部とを含む本体部材と、
前記表示デバイスを載せ置き可能であって、前記本体部に対して展開可能な展開部材と、
前記本体部に取付けられ、前記本体部に対して前記展開部材を展開位置で保持可能な一対の保持部材と、
前記一対の保持部材よりも内側に位置し、前記一対の保持部材と協動して前記展開部材に載せ置きされる前記表示デバイスを両側側面から挟み込んで支えることが可能な支持部材と、
を含むことを特徴とする収容体。
【請求項２】
前記支持部材は、前記展開部材の前後方向の中心を超えて延在している、請求項１に記載の収容体。
【請求項３】
内部が視認可能な透明な素材により形成され、名刺入れとして機能するポケットを更に含む、請求項１又は２に記載の収容体。
【請求項４】
前記展開部材は、前記表示デバイスを収容可能な袋状構造を含むことを特徴とする、請求項１〜３のうちのいずれか１項に記載の収容体。
【発明の詳細な説明】
【技術分野】
【０００１】
本開示は、表示デバイスの収容体に関する。
【背景技術】
【０００２】
従来から、バッグ本体側に携帯型パソコンの全体を露出させて載置可能である高さをもつパソコンプレートを備えるとともに、バッグ蓋体側にバッグ閉止時に前記パソコンを納める凹所を備える携帯型パソコン用バッグが知られている（例えば、特許文献１参照）。この携帯型パソコン用バッグによれば、テーブルの上で、あるいは車の中で、バッグに収納した状態でパソコンを使用することが可能である。
【先行技術文献】
【特許文献】
【０００３】
【特許文献１】特開平11-313709号公報
【発明の概要】
【発明が解決しようとする課題】
【０００４】
しかしながら、上記の特許文献１に記載のような携帯型パソコン用バッグは、持ち手が設定されており、持ち運びには片手の使用が必要である。従って、バッグの携帯時に両手が使えず利便性を欠くという問題がある。また、バッグを開いた状態では、バックを携帯しながらパソコンを使用することができず、この点からも利便性を欠くという問題がある。
【０００５】
そこで、１つの側面では、本発明は、利便性が高められた、表示デバイスの収容体の提供を目的とする。
【課題を解決するための手段】
【０００６】
１つの態様によれば、斜め肩掛けにて携帯可能な、表示デバイスの収容体であって、
斜め肩掛け用のバンドと、前記バンドの両端が接続される本体部とを含む本体部材と、
前記表示デバイスを載せ置き可能であって、前記本体部に対して展開可能な展開部材と、
前記本体部に取付けられ、前記本体部に対して前記展開部材を展開位置で保持可能な一対の保持部材と、
前記一対の保持部材よりも内側に位置し、前記一対の保持部材と協動して前記展開部材に載せ置きされる前記表示デバイスを両側側面から挟み込んで支えることが可能な支持部材とを含む、収容体が提供される。
【発明の効果】
【０００７】
本発明によれば、利便性が高められた、表示デバイスの収容体が得られる。
【図面の簡単な説明】
【０００８】
【図１】一実施例による収容体を概略的に示す斜視図である。
【図２】図１に示す収容体が閉じた状態を概略的に示す図である。
【図３】スペーサーと表示デバイスとの関係を示す断面図である。
【図４】フラップ固定ベルトの一例を示す単品図である。
【図５】本体部の形状の一例を概略的に示す図である。
【図６】収容体の使用態様を概略的に示す図である。
【発明を実施するための形態】
【０００９】
以下、添付図面を参照しながら各実施例について詳細に説明する。
【００１０】
図１は、一実施例による収容体１が開いた状態を概略的に示す図であり、（Ａ）は、斜視図であり、（Ｂ）は、正面図であり、（Ｃ）は、側面図である。図２は、図１に示す収容体１が閉じた状態を概略的に示す図であり、（Ａ）は、正面図であり、（Ｂ）は、側面図である。尚、図１及び図２は、概略図であるため、見易さの観点から、幾つかの部材の板厚の表現は省略されている。また、図１（Ａ）では、見易さの観点から、フラップ固定ベルト４００の図示は省略されている。図３は、スペーサーと表示デバイス２との関係を示す断面図である。図３には、表示デバイス２が仮想的に一点鎖線で示されている。図４は、フラップ固定ベルト４００の一例を示す単品図であり、（Ａ）は、非展開状態を示し、（Ｂ）は、展開状態を示す。図４（Ｂ）では、見易さの観点から、Ｏ字型リング部材４０４等の図示が省略されている。
【００１１】
以下では、右利き用のユーザのための収容体１の構成について説明する。左利き用の収容体の構成については、別途説明する。以下では、便宜上、上下方向、前後方向、及び、左右方向については、図１（Ａ）に示すように定義する。これらの上下方向、前後方向、及び、左右方向は、斜め肩掛けした収容体１をお腹側に保持するユーザ（図６（Ａ）参照）から見た方向に対応する。また、展開部材２００に関する"前後方向"については、収容体１が開いた状態（展開部材２００が展開位置にある状態）を基準とする。但し、フラップ固定ベルト４００に関する"前後方向"については、図２に示すような収容体１が閉じた状態（展開部材２００が非展開位置にある状態）を基準とする。
【００１２】
収容体１は、斜め肩掛けにて携帯可能である。収容体１は、斜め肩掛け可能なバックの形態（例えば、ボディーバックと称される形態）を有する。収容体１には、表示デバイス２（図３参照）が収容される。表示デバイス２は、任意であるが、例えばタブレット端末のような、平面状の表示デバイスが好適である。即ち、ノート型のパーソナルコンピューターのような表示面が本体部に対して折畳み可能なデバイスではなく、通常状態で表示面が露出されているデバイスが好適である。
【００１３】
収容体１は、本体部材１００と、展開部材２００と、支持部材３００と、フラップ固定ベルト（保持部材の一例）４００とを含む。
【００１４】
本体部材１００は、斜め肩掛け用のバンド１１０と、本体部１２０とを含む。
【００１５】
斜め肩掛け用のバンド１１０は、両端が本体部１２０に接続される。例えば、図１に示すように、斜め肩掛け用のバンド１１０は、一端が本体部１２０の左上側に接続され、他端が本体部１２０の右下側に接続される。この接続方法は、任意であるが、例えば、図１に示すように、縫い付け部１１２にてバンド１１０を本体部１２０に縫い付けることより実現されてもよい。斜め肩掛け用のバンド１１０は、任意の素材により形成されてよいが、例えばナイロン素材や布素材により形成されてよい。斜め肩掛け用のバンド１１０の幅は任意であるが、比較的広い幅であってよい。また、斜め肩掛け用のバンド１１０には、ユーザの肩部に当たる範囲にクッション部等の緩衝材が設けられてもよい。
【００１６】
斜め肩掛け用のバンド１１０は、図１（Ｂ）等に概略的に示すように、着脱可能なバックル１１４を有してよい。バックル１１４は、バンド１１０の実効長さを調整するための長さ調整機構を有してもよい。バックル１１４は、好ましくは、片手操作による着脱を容易にするため、右側がメス形であり、左側がオス形である。また、斜め肩掛け用のバンド１１０の裏側（ユーザの身体側）には、滑り止め用のゴム部材１１８が設けられてもよい。ゴム部材１１８は、斜め肩掛け用のバンド１１０における本体部１２０の左上側に接続される端部付近に設けられてよい。
【００１７】
本体部１２０は、収容体１を斜め肩掛けしたユーザの身体（お腹又は背中）に後側表面が密着する部位を含む。従って、本体部１２０は、好ましくは、汗による湿気対策としてウレタン等のクッション材を含む。また、本体部１２０の前側表面は、収容体１が閉じた状態では、表示デバイス２の表示面に接する。この点からも、本体部１２０は、好ましくは、表示デバイス２の保護のためにクッション材を含む。例えば、本体部１２０は、クッション材をナイロン素材により包み込むことにより形成される。
【００１８】
本体部材１００には、ポケット１２２と、吊り下げリング１２４とが設けられてよい。ポケット１２２は、例えば名刺入れとして機能する。この場合、ポケット１２２は、内部が見えるように透明な素材により形成されてよい。この場合、ユーザの名刺がポケット１２２内に入れられると、収容体１の所有者名又はユーザ名を知らせる名札としての役割が実現される。吊り下げリング１２４は、収容体１をフック等に吊り下げる際に使用されてよい。即ち、吊り下げリング１２４は、例えば収容体１を壁等のフックに掛けて保管しておくときに使用されてよい。
【００１９】
展開部材２００は、表示デバイス２の表示面の反対側の面を支持する板状の部位２０２を含む。板状の部位２０２の大きさ（左右方向及び前後方向の各寸法）は、表示デバイス２の外形サイズと同じ又はそれよりも若干大きくてもよい。展開部材２００は、表示デバイス２を安定的に支持できるような剛性の比較的高い部材である。展開部材２００は、例えば、プラスティック板等の固い板をナイロン素材により包み込むことにより形成される。
【００２０】
展開部材２００は、本体部１２０に対して展開可能に接続される。収容体１が開いた状態は、展開部材２００が展開位置にある状態に対応し、収容体１が閉じた状態は、展開部材２００が非展開位置にある状態に対応する。展開方向は、本体部１２０に対して展開部材２００の前端が前方且つ下方に倒れる方向である。即ち、展開時の軸（以下、「回転軸」という）は、左右方向に延在する。例えば、回転軸は、左右方向に延在する本体部材１００の下端部と左右方向に延在する展開部材２００の後端部との間に左右方向に画成される。回転軸は、本体部材１００の下端部と展開部材２００の後端部との間に形成される低剛性部により実現されてもよい。例えば、回転軸は、本体部材１００の下端部と展開部材２００の後端部との間を、変形可能な素材により接続することにより形成されてもよい。より具体的には、図１（Ｃ）及び図２（Ｂ）に示す例では、本体部材１００の下端部と展開部材２００の後端部との間は、例えばナイロン素材により形成される接続部材８０により接続される。この場合、展開部材２００は、接続部材８０が変形することで、本体部１２０に対して展開可能となる。尚、展開部材２００は、図１（Ｃ）及び図２（Ｂ）に示すように、本体部材１００及び展開部材２００とは異なる別部材により形成されてもよいが、本体部材１００及び展開部材２００のいずれか一方又は双方の延長部分により形成されてもよい。例えば、展開部材２００が固い板をナイロン素材により包み込むことで形成されている場合、接続部材８０は、ナイロン素材の部分により形成される。尚、回転軸は、ヒンジ（蝶番）を用いて形成されてもよい。
【００２１】
展開部材２００が展開位置にあるとき、図１（Ｃ）に示すように、側面視で展開部材２００は本体部１２０に対して所定角度αをなす。所定角度αは、略９０度であるが、表示デバイス２の前方へ滑り落ちるのを防止するために、好ましくは、９０度よりも若干小さい値である。例えば、所定角度αは、展開部材２００が展開位置にあるときに、側面視で展開部材２００が水平面に対して９０度よりも若干小さい角度をなすように設定される。
【００２２】
展開部材２００が非展開位置にあるとき、図２（Ｂ）に示すように、側面視で展開部材２００は本体部１２０に対して略０度をなす。即ち、展開部材２００の上面と本体部１２０の前面とが対向しあう。従って、表示デバイス２が収容されているときは、展開部材２００の上面と本体部１２０の前面との間に表示デバイス２が挟まれることになる。
【００２３】
展開部材２００の後端側には、スペーサー２１０が設けられてよい。スペーサー２１０は、展開部材２００上における表示デバイス２の位置を本体部材１００よりも前側にして表示デバイス２に対する操作性を高める機能を有する。また、スペーサー２１０は、後述する土手部２２０と協動して、展開部材２００に対する表示デバイス２の前後方向（収容体１が開いた状態で前後方向）の位置決め機能を有する。図１に示す例では、スペーサー２１０は、かかる機能を発揮するために、凸部の形態で左右方向に延在する。スペーサー２１０の上面には、タッチペンを入れるための凹部２１２が形成されてもよい。尚、タッチペンは、表示デバイス２がタッチパッドを備える場合に使用されうる。
【００２４】
スペーサー２１０は、好ましくは、図３に示すように、表示デバイス２の後端部を保持する保持機構２１４を備える。図３に示す例では、保持機構２１４は、スペーサー２１０の上部が前側に突出することで形成される。これにより、例えば展開部材２００からの表示デバイス２の飛び出し等の可能性を低減することができる。
【００２５】
展開部材２００の前端側には、土手部２２０が設けられてよい。土手部２２０は、上述の如く、スペーサー２１０と協動して、展開部材２００に対する表示デバイス２の前後方向の位置決め機能を有する。図１に示す例では、土手部２２０は、かかる位置決め機能を発揮するために、凸部の形態で左右方向に延在する。
【００２６】
土手部２２０は、好ましくは、図１（Ｃ）に示すように、表示デバイス２の後端部を保持する保持機構２２４を備える。図１（Ｃ）に示す例では、保持機構２２４は、保持機構２１４と同様、土手部２２０の上部が後側に突出することで形成される。これにより、展開部材２００の展開時における表示デバイス２の前方への飛び出しの可能性を低減することができる。
【００２７】
支持部材３００は、左側に設けられる左側支持部材３００Ｌと、右側に設けられる右側支持部材３００Ｒとを含む。左側支持部材３００Ｌ及び右側支持部材３００Ｒは、ナイロン素材のような変形可能（例えば折畳み可能）な素材により形成される。左側支持部材３００Ｌ及び右側支持部材３００Ｒは、後述の折り畳みが可能なように、薄い板状であり、曲げ剛性が低い。左側支持部材３００Ｌ及び右側支持部材３００Ｒは、例えば図１に示すように、略三角形の外形を有する。左側支持部材３００Ｌは、本体部１２０の左側端部と展開部材２００の左側端部との間に接続される。図１に示す例では、左側支持部材３００Ｌは、略三角形の外形の２辺のそれぞれに沿って本体部１２０及び展開部材２００が接続される。この接続は、縫い付けにより実現されてよい。同様に、右側支持部材３００Ｒは、本体部１２０の右側端部と展開部材２００の右側端部との間に接続される。図１に示す例では、右側支持部材３００Ｒは、略三角形の外形の２辺のそれぞれに沿って本体部１２０及び展開部材２００が接続される。この接続は、縫い付けにより実現されてよい。尚、左側支持部材３００Ｌ及び右側支持部材３００Ｒの略三角形の外形の残りの一辺（本体部１２０及び展開部材２００に接続されない辺）は、自由な状態であり、後述の如く非展開位置では折れ曲がる。
【００２８】
左側支持部材３００Ｌは、展開部材２００が展開位置から非展開位置へと展開する際に、内側（右側）に折畳まれる。この折畳みは、折畳みライン３０２Ｌ（図１（Ａ）の点線は山折りを表す）に沿って実現される。即ち、折畳みライン３０２Ｌを例えばアイロンを当てる等によって予め形成される。左側支持部材３００Ｌは、展開部材２００が非展開位置から展開位置へと展開する際は、折畳み状態から展開された状態となる。この展開状態では、左側支持部材３００Ｌは、右側支持部材３００Ｒと協動して、本体部１２０に対して展開部材２００を保持する機能を果たす。即ち、左側支持部材３００Ｌは、右側支持部材３００Ｒと協動して、本体部１２０に対する展開部材２００の展開を所定角度αで係止する。この保持機能を高めるために、左側支持部材３００Ｌは、好ましくは、展開部材２００の左側端部の後端から所定距離Ｌ１の範囲に亘って接続される。所定距離Ｌ１は、好ましくは、左側支持部材３００Ｌの前端が、展開部材２００における表示デバイス２の載置領域の中心（即ち、載置される表示デバイス２の重心位置）よりも前方に来るように設定される。
【００２９】
右側支持部材３００Ｒは、展開部材２００が展開位置から非展開位置へと展開する際に、内側（左側）に折畳まれる。この折畳みは、折畳みライン３０２Ｒ（図１（Ａ）の点線は谷折りを表す）に沿って実現される。折畳みライン３０２Ｒは、例えばアイロンを当てる等によって予め形成される。右側支持部材３００Ｒは、展開部材２００が非展開位置から展開位置へと展開する際は、折畳み状態から展開された状態となる。上述の如く、この展開状態では、右側支持部材３００Ｒは、左側支持部材３００Ｌと協動して、本体部１２０に対して展開部材２００を保持する機能を果たす。この保持機能を高めるために、右側支持部材３００Ｒは、好ましくは、展開部材２００の右側端部の後端から所定距離Ｌ２の範囲に亘って接続される。所定距離Ｌ２は、好ましくは、右側支持部材３００Ｒの前端が、展開部材２００における表示デバイス２の載置領域の中心よりも前方に来るように設定される。
【００３０】
但し、所定距離Ｌ１は、所定距離Ｌ２よりも短くてもよい。これは、展開部材２００が展開位置にあるときに、展開部材２００及び表示デバイス２の左端部の前側をユーザが掴んで展開部材２００及び表示デバイス２を安定化させることができるようにするためである。即ち、所定距離Ｌ１は、展開部材２００の左端部の前側においてユーザによる十分な掴み代が残るように設定されてもよい。これにより、ユーザの左手の補助により展開部材２００の展開状態を安定化させることが容易となる。尚、このような構成は、特に後述する指掛け用の穴３０４を形成しない場合に好適となる。換言すると、図１に示す例では、指掛け用の穴３０４を備えているので、所定距離Ｌ１は所定距離Ｌ２よりも長く設定されている。
【００３１】
左側支持部材３００Ｌは、好ましくは、図１に示すように、指掛け用の穴３０４が形成される。指掛け用の穴３０４は、親指が入るサイズの穴であってよい。ユーザは、展開部材２００が展開位置にあるとき、指掛け用の穴３０４に親指を入れつつ、他の指で展開部材２００の下側を保持する態様で、展開部材２００及び表示デバイス２を掴むことができる。これにより、ユーザの左手の補助により展開部材２００の展開状態を安定化させることが容易となる。
【００３２】
左側支持部材３００Ｌ及び右側支持部材３００Ｒ間の左右方向の距離Ｗは、載置が予定される表示デバイス２の左右方向の幅と同一又は僅かに大きくなるように設定される。この場合、左側支持部材３００Ｌ及び右側支持部材３００Ｒは、表示デバイス２の左右方向の位置決め機能を果たすことができる。即ち、左側支持部材３００Ｌ及び右側支持部材３００Ｒは、それぞれの内側の表面が表示デバイス２の左右方向の側面に当たることで、表示デバイス２の左右方向の動きを抑制することができる。尚、上述した所定距離Ｌ１，Ｌ２は、このような左右方向の位置決め機能も考慮して設定されてよい。即ち、所定距離Ｌ１，Ｌ２は、好ましくは、左側支持部材３００Ｌ及び右側支持部材３００Ｒによる左右方向の位置決め機能が適切に働くように決定される。
【００３３】
左側支持部材３００Ｌ及び右側支持部材３００Ｒは、好ましくは、本体部１２０に対する取り付け位置が左右非対称とされる。右側支持部材３００Ｒの取り付け位置は高いほど、本体部１２０との接続範囲が広く取れるので、上述した右側支持部材３００Ｒよる本体部１２０に対する展開部材２００の保持機能（強度）を高める観点からは有利となる。これは、左側支持部材３００Ｌについても同様である。他方、右側支持部材３００Ｒの取り付け位置の高さは高いほど、展開位置の展開部材２００上の表示デバイス２に対する右手（利き手）による操作性が悪くなる。この点を考慮し、好ましくは、右側支持部材３００Ｒの取り付け位置（取り付け範囲の上端Ｐ１）の高さは、図１（Ａ）に示すように、左側支持部材３００Ｌの取り付け位置の高さ（取り付け範囲の上端Ｐ２）よりも低く設定される。これにより、本体部１２０に対する展開部材２００の保持機能を確保しつつ、表示デバイス２に対する操作性を高めることが可能となる。
【００３４】
同様の観点から、右側支持部材３００Ｒの高さ（上下方向の幅）Ｈ１は、図１（Ｂ）に示すように、好ましくは、左側支持部材３００Ｌの高さ（上下方向の幅）Ｈ２よりも低く設定される。右側支持部材３００Ｒ（左側支持部材３００Ｌについても同様）の高さは高いほど、本体部１２０との接続範囲が広く取れるので、上述した右側支持部材３００Ｒよる本体部１２０に対する展開部材２００の保持機能（強度）を高める観点からは有利となる。他方、右側支持部材３００Ｒの高さは高いほど、展開位置の展開部材２００上の表示デバイス２に対する右手（利き手）による操作性が悪くなる。この点を考慮し、好ましくは、右側支持部材３００Ｒの高さＨ１は、左側支持部材３００Ｌの高さＨ２よりも低く設定される。これにより、本体部１２０に対する展開部材２００の保持機能を確保しつつ、表示デバイス２に対する操作性を高めることが可能となる。
【００３５】
フラップ固定ベルト４００は、図４（Ａ）に示す非展開状態と、図４（Ｂ）に示す展開状態とになることができる。フラップ固定ベルト４００の非展開状態では、フラップ固定ベルト４００は、本体部１２０に対して展開部材２００を非展開位置で保持する。
【００３６】
フラップ固定ベルト４００は、図４に示すように、ベルト本体４０２と、Ｏ字型リング部材４０４と、持ち手部４０５とを含む。フラップ固定ベルト４００は、図１（Ｂ）等に示すように、本体部１２０と展開部材２００とに接続される。
【００３７】
ベルト本体４０２の一端は、図１（Ｃ）等に示すように、本体部１２０に接続される。この接続方法は、例えば、ベルト本体４０２の一端を本体部１２０に縫い付けることより実現されてもよい。
【００３８】
ベルト本体４０２の他端は、Ｏ字型リング部材４０４の開口を後側から通って前側へと折り返される。ベルト本体４０２の他端には、持ち手部４０５が設けられる。図４（Ｂ）には、フラップ固定ベルト４００の非展開状態での折り返しの折り目（谷折り）が符合４０９で示されている。ここでは、フラップ固定ベルト４００の非展開状態において、ベルト本体４０２の後側の部位（ユーザの身体に近い側の部位）を「非折り返し部４１２」と称し、ベルト本体４０２の前側の部位を「折り返し部４１１」と称する。ベルト本体４０２の非折り返し部４１２及び折り返し部４１１には、互いに重なり合う領域に、面ファスナー４０６及び４０７がそれぞれ設けられる。面ファスナー４０６及び４０７は、マジックテープ(Magic Tape)（登録商標）やベルクロ(Velcro)（登録商標）であってよい。面ファスナー４０６及び４０７が互いに引っ付くことで、ベルト本体４０２の折り返し状態（フラップ固定ベルト４００の非展開状態）が維持される。
【００３９】
Ｏ字型リング部材４０４は、Ｏ字型の閉じたリング状の金具である。尚、Ｏ字型リング部材４０４は、樹脂等のような金属以外の材料により形成されてもよい。Ｏ字型リング部材４０４の右側には、上述の如くベルト本体４０２が通されて折り返され、Ｏ字型リング部材４０４の左側には、固定用ベルト４０８が通されて折り返される。固定用ベルト４０８は、展開部材２００に縫い付け等により接続される。尚、固定用ベルト４０８を使用せず、Ｏ字型リング部材４０４が展開部材２００に直接接続されてもよい。
【００４０】
持ち手部４０５は、この面ファスナー４０６及び４０７同士の結合状態を解除する際に、ユーザにより操作されることが予定される部位である。持ち手部４０５は、通常の使用態様で、Ｏ字型リング部材４０４内を通ることできない形態（サイズ）を有する。従って、ベルト本体４０２は、Ｏ字型リング部材４０４に持ち手部４０５が引っかかることでＯ字型リング部材４０４から抜けることはない。持ち手部４０５は、好ましくは、展開部材２００が展開位置に至るときに、Ｏ字型リング部材４０４に引っ掛かるようにベルト本体４０２に設けられる。この場合、持ち手部４０５は、Ｏ字型リング部材４０４に引っ掛かることで、本体部１２０に対する展開部材２００の展開を所定角度αで係止する。これにより、フラップ固定ベルト４００は、上述した支持部材３００と協動して、本体部１２０に対して展開部材２００を展開位置で保持する機能を持つことができる。
【００４１】
ここで、フラップ固定ベルト４００の操作方法等について概説する。
【００４２】
収容体１が閉じた状態（図２参照）では、上述の如く、フラップ固定ベルト４００は、図４（Ａ）に示すように、面ファスナー４０６及び４０７が結合した非展開状態である。このとき、ユーザが、持ち手部４０５を握り、ベルト本体４０２の折り返し部４１１を非折り返し部４１２から引き離すと、面ファスナー４０６及び４０７の結合状態が解除され、ベルト本体４０２の折り返し状態が解除される。即ち、フラップ固定ベルト４００の非展開状態が解除され、展開部材２００が重力の作用（或いは手動）により展開位置へと展開し始める。この際、フラップ固定ベルト４００の折り返し部４１１はＯ字型リング部材４０４内を通り、持ち手部４０５とＯ字型リング部材４０４との距離が徐々に短くなっていく。展開部材２００が展開位置に至ると、持ち手部４０５とＯ字型リング部材４０４との距離が０となり、持ち手部４０５がＯ字型リング部材４０４に引っ掛かり、展開部材２００の更なる展開が係止される。これと同時に、支持部材３００も展開状態となり、展開部材２００の更なる展開が係止される。このようにして、図１に示す収容体１が開いた状態が実現される。
【００４３】
収容体１が開いた状態（図１参照）で、ユーザは、展開部材２００の前端側を後方かつ上方（ユーザにとっては手前側）に向けて持ち上げると、展開部材２００が非展開位置へと至る。展開部材２００が非展開位置へと至ると、ユーザは、持ち手部４０５を掴んで前側に引張ると、Ｏ字型リング部材４０４から折り返し部４１１が引き出される。ユーザは、引き出した折り返し部４１１を折り返し、折り返した折り返し部４１１を非折り返し部４１２に押え付けて、面ファスナー４０６及び４０７を互いに結合させる。これにより、図２に示す収容体１が閉じた状態が実現される。尚、この収容体１が閉じた状態では、フラップ固定ベルト４００のベルト本体４０２は、上述の如く、折り返した状態（非展開状態）で維持される。従って、ベルト本体４０２がばたつくことがなく、ベルト本体４０２の機械等への巻き込まれの可能性を低減することができる。
【００４４】
図５は、本体部１２０の形状の一例を概略的に示す正面図である。図５には、本体部１２０の外形の一例が太線により図示されている。また、図５には、表示デバイス２の概略形状が併せて示されている。
【００４５】
本体部１２０の外形は、円Ｃ１を基準とした五角形であってよい。円Ｃ１は、表示デバイス２の長辺を半径とした円である。五角形は、５つの頂点ａ，ｂ，ｃ，ｄ，ｅを持つ。点ａ，ｂは、表示デバイス２の長辺が左右方向となるように円Ｃ１の下側中央に接するように置いたとき、表示デバイス２の長辺と円Ｃ１との交点に対応する。点ｃは、点ａから左上４５度に伸ばした直線と円Ｃ１との交点に対応する。点ｅは、点ｃから表示デバイス２の左上点（点ｇ）を通る直線と、円Ｃ１の中心を通る上下方向の直線Ｌｙの交点に対応する。点ｄは、点ｂから表示デバイス２の右上点（点ｆ）を通る上下方向の直線と、点ｅを通る左右方向の直線との交点に対応する。
【００４６】
このような形状を備える本体部１２０によれば、収容体１が閉じた状態で、展開部材２００と本体部１２０との間から表示デバイス２の一部がはみ出すことがない。これにより、収容体１が閉じた状態で表示デバイス２を適切に保護することができる。尚、本体部１２０における展開部材２００との接続部は、点ａから点ｂまでの辺に対応する。
【００４７】
尚、図５に示す例では、スペーサー２１０の前後方向の幅を考慮していないが、点ｇ，ｆは、スペーサー２１０の前後方向の幅分だけ上側にオフセットされてもよい。即ち、表示デバイス２の外形は、スペーサー２１０の前後方向の幅分だけ大きく想定されてもよい。
【００４８】
図６は、収容体１の使用態様を概略的に示す図であり、（Ａ）は、ユーザが斜め肩掛けした収容体１を閉じた状態でお腹側に保持する状態を示す斜視図であり、（Ｂ）は、ユーザが斜め肩掛けした収容体１を開いた状態でお腹側に保持する状態を示す斜視図である。また、（Ｃ）は、（Ｂ）に示す状態の側面図であり、（Ｄ）は、ユーザが斜め肩掛けした収容体１を閉じた状態で背中側に保持する状態を示す背面図である。
【００４９】
尚、本例では、右利き用のユーザのための収容体１であるので、ユーザは、左肩から収容体１を斜め肩掛けすることになる。このとき、図６（Ａ）に示すように、斜め肩掛け用のバンド１１０は、左肩から右脇腹の方向にたすき掛けされた状態となる。
【００５０】
図６（Ａ）に示すように、ユーザが斜め肩掛けした収容体１を閉じた状態でお腹側に保持する状態では、ユーザの両手は、収容体１を保持するために必要とされない。従って、ユーザの両手が自由となり、収容体１の携帯時の利便性が高くなる。
【００５１】
また、ユーザが斜め肩掛けした収容体１を開いた状態でお腹側に保持する状態でも、ユーザの両手は、収容体１を保持するために必要とされない。但し、ユーザは、上述の如く、左手を用いて、指掛け用の穴３０４に親指を入れて展開部材２００を安定的に保持することも可能である。
【００５２】
また、ユーザが斜め肩掛けした収容体１を開いた状態でお腹側に保持する状態では、展開部材２００上の表示デバイス２の表示面が上を向いているので、ユーザは、表示デバイス２の表示面を容易に目視することができる。また、ユーザは、斜め肩掛けした収容体１を開いた状態でお腹側に保持した状態で、展開部材２００上の表示デバイス２に対して各種操作を行うことができる。例えば、右手にタッチペンを持ち、表示デバイス２の表示面（タッチ操作面）に対してタッチ操作を行うことができる。また、例えば、表示デバイス２がカメラ機能を有する場合は、表示デバイス２を両手で取り出して、写真を取ることも可能である。或いは、展開部材２００には、カメラのレンズに対応する部分に穴を有してもよい。この場合、表示デバイス２を展開部材２００から取り出すことなく、写真を取ることも可能である。例えば、展開部材２００と共に表示デバイス２を持ち上げて被写体にカメラを向けることができる。
【００５３】
また、ユーザが斜め肩掛けした収容体１を開いた状態でお腹側に保持する状態では、図６（Ｃ）に示すように、展開部材２００は、水平面に対して傾斜している。即ち、所定角度αが９０度未満であるので、展開部材２００の前端側が上に来る傾斜方向で水平面に対して傾斜する。これにより、展開部材２００を展開する際や収容体１を開いた状態でユーザが動き回る際等に表示デバイス２が展開部材２００から前方に飛び出すことが適切に防止される。尚、この表示デバイス２の飛び出し防止機能は、上述の如く、土手部２２０によっても実現される。
【００５４】
図６（Ｄ）に示すように、ユーザが斜め肩掛けした収容体１を閉じた状態で背中側に保持する状態では、ユーザの両手は、収容体１を保持するために必要とされない。また、収容体１がユーザの前側に存在しない。これにより、収容体１の不使用時の快適性が高くなる。尚、ユーザは、背中側にある収容体１をお腹側に持ってくるときは、斜め肩掛け用のバンド１１０の裏側に左手を入れて滑り止め用のゴム部材１１８を触り、そのまま左手を引き出すようにすればよい。この場合、ユーザは、ゴム部材１１８との摩擦力を利用して収容体１を容易にお腹側に持ってくることができる。但し、ユーザは、収容体１の所望の部位（例えば、斜め肩掛け用のバンド１１０、展開部材２００等）を掴んでお腹側に持ってくることは可能である。
【００５５】
次に、左利き用のユーザのための収容体（図示せず）の構成について説明する。左利き用の収容体は、基本的には、上述した右利き用の収容体１と左右対称に形成される。例えば、本体部１２０は左右対称となるが、展開部材２００は共通化することも可能である。また、斜め肩掛け用のバンド１１０及びフラップ固定ベルト４００については部品として共通化することも可能である（取り付け方が左右対称）。また、左側支持部材３００Ｌ及び右側支持部材３００Ｒについては、左右を入れ替えて流用することができる。但し、左側支持部材３００Ｌ及び右側支持部材３００Ｒの折畳みライン３０２Ｌ、３０２Ｒに沿った折り方は、山谷でそれぞれ逆になる。
【００５６】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００５７】
例えば、上述した実施例において、各構成要素のいくつかは、必要に応じて省略されてもよい。例えば、ポケット１２２、吊り下げリング１２４、スペーサー２１０、凹部２１２、指掛け用の穴３０４、土手部２２０、滑り止め用のゴム部材１１８等のうちのいずれか１つ、又は任意の２つ以上の組み合わせ（全てを含む）は、省略されてもよい。
【００５８】
また、上述した実施例において、収容体１の任意の箇所に、夜間等で光る反射板や蛍光材が設けられてもよい。例えば、展開部材２００の下面（非展開位置で表側になる面）や、本体部１２０の前面等に蛍光塗料が塗布されてもよい。
【００５９】
また、上述した実施例では、本体部１２０に対して展開部材２００を非展開位置で保持する保持部材の一例としてフラップ固定ベルト４００が使用されているが、保持部材は、他の形態であってもよい。例えば、保持部材は、面ファスナー、バックルの形態であってもよい。保持部材は、機械的な保持を実現する以外にも、磁力を用いて保持を実現する機構であってもよい。
【００６０】
また、上述した実施例では、フラップ固定ベルト４００の持ち手部４０５が、Ｏ字型リング部材４０４に引っ掛かる係止部となっているが、かかる係止部は、持ち手部４０５以外の部位により実現されてもよいし、省略されてもよい。例えば、フラップ固定ベルト４００の折り返し部４１１には、持ち手部４０５よりも左側に係止部が設けられてもよい。係止部は、通常の使用態様で、Ｏ字型リング部材４０４内を通ることできない形態（サイズ）を有する。但し、持ち手部４０５が係止部を兼ねる構成の方が効率的でコスト面でも有利である。
【００６１】
また、上述した実施例において、展開部材２００の展開動作に伴って表示デバイス２の電源がオンとなるように、本体部１２０には磁石が埋め込まれてもよい。この場合、展開部材２００が非展開位置に至ると、本体部１２０内の磁石の機能により表示デバイス２の電源がオフとなる。尚、かかる構成を実現するためには、表示デバイス２が、所定部位に対する磁力の有無に応じて電源（ローカル電源）をオン／オフする機能を備えることが前提となる。
【００６２】
また、上述した実施例では、展開位置にある展開部材２００上の表示デバイス２は外部に対して直接的に露出しているが、間接的に露出してもよい。例えば、展開部材２００に、チャック付きの袋状構造を形成してもよい。この場合、袋状構造は、上面が透明な素材（例えば、タッチペンにより操作可能なビニール素材）により形成されてもよい。この場合、袋状構造内に表示デバイス２が収容されると、表示デバイス２は、袋状構造の上面を介して外部に露出することになる。
【００６３】
なお、以上の実施例に関し、さらに以下の付記を開示する。
（付記１）
斜め肩掛けにて携帯可能な、表示デバイスの収容体であって、
斜め肩掛け用のバンドと、前記バンドの両端が接続される本体部とを含む本体部材と、
前記表示デバイスの表示面の反対側の面を支持する板状の部位を含み、前記本体部に対して展開可能に接続される展開部材と、
前記本体部及び前記展開部材の双方に取り付けられ、前記表示デバイスの表示面を上にして露出させる展開位置で前記展開部材を前記本体部に対して保持する支持部材とを含む、収容体。
（付記２）
前記支持部材は、左側に設けられる左側支持部材と、右側に設けられる右側支持部材とを含み、
前記本体部に対する前記左側支持部材と前記右側支持部材の取り付け位置は、左右非対称である、付記１に記載の収容体。
（付記３）
右利き用と左利き用の２種類の構成を有し、
前記左側支持部材及び前記右側支持部材のうちの、当該収容体がユーザの前側に位置するときに前記ユーザにとって利き手側に位置する支持部材の取り付け位置は、他方の支持部材の取り付け位置よりも低い、付記２に記載の収容体。
（付記４）
右利き用と左利き用の２種類の構成を有し、
前記支持部材は、左側に設けられる左側支持部材と、右側に設けられる右側支持部材とを含み、
前記左側支持部材及び前記右側支持部材のうちの、当該収容体がユーザの前側に位置するときに前記ユーザにとって利き手側に位置する支持部材の上下方向の幅は、他方の支持部材の上下方向の幅よりも小さい、付記１〜３のうちのいずれか１項に記載の収容体。
（付記５）
前記支持部材は、左側に設けられる左側支持部材と、右側に設けられる右側支持部材とを含み、
前記左側支持部材及び前記右側支持部材のそれぞれは、展開及び折畳み可能な一枚の板状の部材である、付記１〜４のうちのいずれか１項に記載の収容体。
（付記６）
前記展開位置では、前記本体部及び前記展開部材は側面視で９０度未満の角度をなす、付記１に記載の収容体。
（付記７）
右利き用と左利き用の２種類の構成を有し、
前記支持部材は、左側に設けられる左側支持部材と、右側に設けられる右側支持部材とを含み、
前記左側支持部材及び前記右側支持部材のうちの、当該収容体がユーザの前側に位置するときに前記ユーザにとって前記利き手側とは反対側の支持部材に、穴が形成される、付記１〜６のうちのいずれか１項に記載の収容体。
（付記８）
前記表示デバイスを前記本体部と前記板状の部位との間に挟む非展開位置で前記展開部材を前記本体部に対して保持する保持部材を含む、付記１に記載の収容体。
（付記９）
前記表示デバイスを前記本体部と前記板状の部位との間に挟む非展開位置で前記展開部材を前記本体部に対して保持する保持部材を含み、
前記保持部材は、Ｏ字型リング部材と、前記Ｏ字型リング部材の開口を通って折り返され、折り返されて対向する部位に面ファスナーを備えるベルト本体と、前記ベルト本体に設けられ、前記展開位置で前記Ｏ字型リング部材に引っ掛かる係止部とを含む、付記１に記載の収容体。
（付記１０）
前記展開部材は、前記本体部の下側の端部に回転可能に接続される、付記１〜９のうちのいずれか１項に記載の収容体。
（付記１１）
前記板状の部位における前記本体部との接続側に設けられ、前記表示デバイスにおける前後方向の一方の側面に当接する第１凸部と、
前記板状の部位における前記本体部との接続側の反対側に設けられ、前記表示デバイスにおける前後方向の他方の側面に当接する第２凸部とを含む、付記１〜１０のうちのいずれか１項に記載の収容体。
（付記１２）
前記バンドの内側の端部に設けられるゴム部材を含む、付記１〜１１のうちのいずれか１項に記載の収容体。
【符号の説明】
【００６４】
１    収容体
２    表示デバイス
１００    本体部材
１１０    斜め肩掛け用のバンド
１２０    本体部
２００    展開部材
２０２    板状の部位
３００（３００Ｌ，３００Ｒ）    支持部材
４００    フラップ固定ベルト
４０２    ベルト本体
４０４    Ｏ字型リング部材
４０５    持ち手部
４０６、４０７    面ファスナー
【図１】
2019005606.tif 000003
【図２】
2019005606.tif 000004
【図３】
2019005606.tif 000005
【図４】
2019005606.tif 000006
【図５】
2019005606.tif 000007
【図６】
2019005606.tif 000008